(57)【要約】【課題】外部情報有効に活用できる移動体用情報処理装置を提供する。【解決手段】アンテナ２０及び受信装置３０で交通情報などの外部情報を取得し、制御装置１０において、外部情報から有効期限情報を取得する。有効期限情報に現在時刻を表す基準時刻が含まれる場合、その基準時刻と有効期限情報に含まれる相対時間又は期間情報に基づいて有効期限が経過したか否かを判定する。有効期限情報に基準時刻が含まれていない場合には、基準時刻発生装置４０が発生した基準時刻と有効期限情報に含まれる相対時間又は期間情報に基づいて有効期限が経過したか否かを判定する。そして、有効期限が経過していればＲＡＭ１６に記憶された外部情報を消去することにより外部情報を無効化する。【選択図】図１
2008305170.tif 000002
【特許請求の範囲】
【請求項１】
少なくとも情報の有効期限を示す有効期限情報を含む外部情報を取得して記憶するための外部情報取得手段と、
前記外部情報取得手段で取得した前記外部情報から前記有効期限情報を取得する有効期限情報取得手段と、
前記有効期限情報取得手段で取得した前記有効期限情報に含まれる前記外部情報の有効期限が経過したか否かを判定し、前記有効期限が経過したと判定した場合、前記外部情報取得手段に記憶された前記外部情報を無効化する外部情報無効化手段と、
を備えたことを特徴とする移動体用情報処理装置。
【請求項２】
請求項１に記載の移動体用情報処理装置において、
前記外部情報に含まれる有効期限情報は、有効期限として少なくとも相対時間を含み、
前記外部情報無効化手段は、前記有効期限情報に現在時刻を表す基準時刻が含まれる場合には、前記基準時刻と前記相対時間とに基づいて、前記外部情報の有効期限が経過したか否かを判定することを特徴とする移動体用情報処理装置。
【請求項３】
請求項２に記載の移動体用情報処理装置において、
現在時刻を表す基準時刻を発生させるための基準時刻発生手段を備え、
前記外部情報無効化手段は、前記有効期限情報に現在時刻を表す基準時刻が含まれない場合には、前記基準時刻発生手段が発生した基準時刻と前記相対時間に基づいて、前記外部情報の有効期限が経過したか否かを判定することを特徴とする移動体用情報処理装置。
【請求項４】
請求項１に記載の移動体用情報処理装置において、
前記外部情報に含まれる有効期限情報は、有効期限として少なくとも期間情報を含み、
前記外部情報無効化手段は、前記有効期限情報に現在時刻を表す基準時刻が含まれる場合には、前記基準時刻が前記期間情報の期間内であるか否かに基づいて、前記外部情報の有効期限が経過したか否かを判定することを特徴とする移動体用情報処理装置。
【請求項５】
請求項４に記載の移動体用情報処理装置において、
現在時刻を表す基準時刻を発生させるための基準時刻発生手段を備え、
前記外部情報無効化手段は、前記有効期限情報に現在時刻を表す基準時刻が含まれない場合には、前記基準時刻発生手段が発生した前記基準時刻が前記期間情報の期間内であるか否かに基づいて、前記外部情報の有効期限が経過したか否かを判定することを特徴とする移動体用情報処理装置。
【請求項６】
請求項１〜請求項５の何れかに記載の移動体用情報処理装置において、
前記外部情報無効化手段は、前記外部情報取得手段に記憶された前記外部情報を消去することにより前記外部情報取得手段に記憶された外部情報を無効化することを特徴とする移動体用情報処理装置。
【請求項７】
請求項１〜請求項５の何れかに記載の移動体用情報処理装置において、
前記外部情報無効化手段は、前記外部情報取得手段に記憶された前記外部情報を用いないことにより前記外部情報取得手段に記憶された外部情報を無効化することを特徴とする移動体用情報処理装置。
【請求項８】
請求項１〜請求項７の何れかに記載の移動体用情報処理装置において、
前記外部情報取得手段は、前記外部情報として交通情報を取得することを特徴とする移動体用情報処理装置。
【請求項９】
請求項１〜請求項８の何れかに記載の移動体用情報処理装置において、
前記外部情報取得手段は、前記外部情報として、天候情報を取得することを特徴とする移動体用情報処理装置。
【請求項１０】
請求項１〜請求項９の何れかに記載の移動体用情報処理装置を含むことを特徴とするカーナビゲーション装置。
【発明の詳細な説明】
【技術分野】
【０００１】
本発明は、外部情報を用いて移動体で用いる情報を処理する移動体用情報処理技術に関する。
【背景技術】
【０００２】
従来、インフラなどから受信した渋滞情報などの外部情報をカーナビゲーション装置へ表示する装置において、カーナビゲーション装置の電源投入時からの経過時間が、受信した外部情報の受信時刻から所定時間以上経過している場合に、記憶している外部情報を消去するものがあった（例えば、特許文献１参照）
【特許文献１】特許第３１８６３３０号公報
【発明の開示】
【発明が解決しようとする課題】
【０００３】
ところが、上記装置では、受信時刻から所定時間が経過までは外部情報を使用し続けることになるので、その間に新たな外部情報あったとしてもその外部情報が使用されないという問題があった。
【０００４】
逆に、受信した外部情報の有効期限が長期なものであっても、所定時間が経過してしまうと外部情報が有効であるにもかかわらず外部情報が消去されてしまうという問題もあった。
【０００５】
本発明は、こうした問題に鑑みなされたもので、外部情報を有効に活用できる移動体用情報処理装置を提供することを目的とする。
【課題を解決するための手段】
【０００６】
かかる問題を解決するためになされた請求項１に記載の移動体用情報処理装置（１：この欄においては、発明に対する理解を容易にするため、必要に応じて「発明を実施するための最良の形態」欄において用いた符号を付すが、この符号によって請求の範囲を限定することを意味するものではない。）は、外部情報取得手段（１６，３０）、有効期限情報取得手段（１０）及び外部情報無効化手段（１０）を備えている。
【０００７】
外部情報取得手段（１６，３０）は、少なくとも情報の有効期限を示す有効期限情報を含む外部情報を取得して記憶し、有効期限情報取得手段（１０）は、外部情報取得手段（１６，３０）で取得した外部情報から有効期限情報を取得する。
【０００８】
外部情報無効化手段（１０）は、有効期限情報取得手段（１０）で取得した有効期限情報に含まれる外部情報の有効期限が経過したか否かを判定し、有効期限が経過したと判定した場合、外部情報取得手段（１６，３０）に記憶された外部情報を無効化する。
【０００９】
このような移動体用情報処理装置（１）によれば、外部情報取得手段（１６，３０）で取得した外部情報からその情報の有効期限を示す有効期限情報が取得される。そして、有効期限情報に含まれる外部情報の有効期限が経過したか否かが判定される。判定の結果、有効期限が経過したと判定された場合には、外部情報が無効化される。
【００１０】
つまり、情報の有効期限に基づいて外部情報が無効化されるので、有効期限のある外部情報が有効期限を経過して使用されたり、あるいは、有効期限内であるにもかかわらず外部情報が無効化されてしまうということがなくなる。
【００１１】
ここで、「外部情報」とは、道路交通情報センタなど、本移動体用情報処理装置（１）の外部からから送信されてくる道路の混雑・渋滞情報、事故情報、天候情報など、移動体の移動に影響を与える情報を意味している。
【００１２】
ところで、外部情報に含まれる有効期限情報には、相対的時間を示す情報、例えば、「１時間有効」であるという情報や、絶対的な期間を示す情報、例えば、「２００７年６月１日の午前１０時から午前１１時まで有効」という情報がある。
【００１３】
外部情報に含まれる有効期限情報が相対的時間の場合、請求項２に記載のように、外部情報無効化手段（１０）は、有効期限情報に現在時刻を表す基準時刻が含まれる場合には、基準時刻と相対時間とに基づいて、外部情報の有効期限が経過したか否かを判定すると、外部から提供される現在時刻を示す基準時刻と相対時間に基づいて外部情報の有効期限が経過したか否かを正確に判定することができる。
【００１４】
例えば、米国のように標準時間が複数あるような場合には、移動体が移動することによって現在時刻が変わってしまうことがある。そのような場合、外部から提供される各標準時刻に対応した基準時刻を取得すれば、取得した基準時刻に基づいて、現時点で外部情報の有効期限が経過したか否かが判定されるので、正確な判定ができるのである。
【００１５】
一方、外部情報に現在時刻を示す基準時刻が含まれていない場合には、請求項３に記載のように、現在時刻を表す基準時刻を発生させる基準時刻発生手段（４０）を備え、基準時刻発生手段（４０）が発生する基準時刻と外部情報に含まれる相対時間とに基づいて、外部情報の有効期限が経過したか否かを判定するとよい。
【００１６】
このようにすると、外部から基準時刻が提供されない状態であっても、外部情報に含まれる相対時間によって外部情報の有効期限を経過しているか否かを判定することができる。
【００１７】
また、外部情報に含まれる有効期限情報が、有効期限として少なくとも期間情報を含み、有効期限情報に現在時刻を表す基準時刻が含まれる場合には、請求項４に記載のように、基準時刻が期間情報の期間内であるか否かに基づいて、外部情報の有効期限が経過したか否かを判定するようにするとよい。
【００１８】
例えば、前述のように期間情報が「２００７年６月１日の午前１０時から午前１１時まで有効」であるというような場合、外部から提供される基準時刻が「２００７年６月１日の午前１０時３０分」であれば、その外部情報は有効期限内であると判定し、基準時刻が「２００７年６月１日の午前１１時１０分」であれば、その外部情報は有効期限を経過していると判定するのである。
【００１９】
このようにすると、請求項２と同様に、外部から提供される基準時刻に基づいて、現時点で外部情報の有効期限が経過したか否かが判定されるので、正確な判定ができるのである。
【００２０】
また、外部情報に現在時刻を示す基準時刻が含まれていない場合には、請求項５に記載のように、現在時刻を表す基準時刻を発生させる基準時刻発生手段（４０）を備え、基準時刻発生手段（４０）が発生する基準時刻と外部情報に含まれる期間情報とに基づいて、外部情報の有効期限が経過したか否かを判定するとよい。
【００２１】
このようにすると、外部から基準時刻が提供されない状態であっても、外部情報に含まれる期間情報によって外部情報の有効期限を経過しているか否かを判定することができる。
【００２２】
ところで、外部情報無効化手段（１０）により、外部情報取得手段（１６，３０）に記憶された外部情報を無効化するためには、種々の方法が考えられる。
請求項６に記載のように外部情報取得手段（１６，３０）に記憶された外部情報を消去しても外部情報を無効化できる。また、請求項７に記載のように外部情報取得手段（１６，３０）に記憶された外部情報を用いないようにしても外部情報を無効化することができる。
【００２３】
ところで、移動体用情報処理装置（１）として処理する外部情報には種々の情報が考えられる。そこで、請求項８に記載のように外部情報取得手段（１６，３０）で外部情報として交通情報を取得するようにすると移動体用情報処理装置（１）として有効である。
【００２４】
ここで、「交通情報」とは、道路の混雑・渋滞情報、事故情報、道路工事情報あるいは道路の一時的な通行止め情報など、移動体が移動する場合に有効な情報を意味している。
このように、外部情報として交通情報を含むものを取得すると、移動体が移動する際の妨げとなる情報の有効期限を取得することができる。つまり、交通情報の有効期限を時間的に適切に利用することができるので、移動体情報処理装置として有効なものとなる。
【００２５】
さらに、請求項９に記載のように外部情報取得手段（１６，３０）は、外部情報として天候情報を取得するようにするとよい。天候情報は、移動体にとって有効な情報であり、時々刻々変化する情報である、つまり、天候情報には有効期間がある。したがって、天候情報の有効期限を適切に取得して利用することができるので、移動体情報処理装置として有効なものとなる。
【００２６】
移動体情報処理装置装置（１）の形態としては、種々のものが考えられるが、請求項１０に記載のように請求項１〜請求項９の何れかに記載の移動体用情報処理装置（１）を含むカーナビゲーション装置（１）であるとよい。
【００２７】
つまり、車両は移動体として移動速度の速いので、通行止めなどの交通情報あるいは天候情報などの外部情報の有効期限が適切に更新されていると、運転者が古い情報に基づいて不適切な運転経路を選択することなどがなくなる。したがって、運転者は、快適に運転を行うことができるので、運転者にとって使いやすいカーナビゲーション装置（１）となる。
【発明を実施するための最良の形態】
【００２８】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、カーナビゲーション装置１の概略の構成を示すブロック図である。カーナビゲーション装置１は、図１に示すように、制御装置１０、アンテナ２０、受信装置３０、基準時刻発生装置４０、表示装置５０及びＧＰＳ車載器６０を備えており、図示しない車両に搭載されている。
【００２９】
制御装置１０は、ＣＰＵ１２、ＲＯＭ１４、ＲＡＭ１６及びＩ／Ｏ１８などから構成され以下の（ア）〜（ク）に示す処理を行う。
（ア）少なくとも情報の有効期限を示す有効期限情報を含む外部情報を取得してＲＡＭ１６に記憶する。
【００３０】
（イ）取得した外部情報から有効期限情報を取得する。
（ウ）外部情報に含まれる有効期限情報に有効期限として相対時間及び現在時刻を表す基準時刻が含まれる場合には、基準時刻と相対時間とに基づいて、外部情報の有効期限が経過したか否かを判定する。
【００３１】
（エ）有効期限情報に現在時刻を表す基準時刻が含まれない場合には、基準時刻発生装置４０が発生した基準時刻と相対時間に基づいて、外部情報の有効期限が経過したか否かを判定する。
【００３２】
（オ）外部情報に含まれる有効期限情報に有効期限として期間情報及び現在時刻を表す基準時刻が含まれる場合には、基準時刻が期間情報の期間内であるか否かに基づいて、外部情報の有効期限が経過したか否かを判定する。
【００３３】
（カ）有効期限情報に現在時刻を表す基準時刻が含まれない場合には、基準時刻発生装置４０が発生した基準時刻が期間情報の期間内であるか否かに基づいて、外部情報の有効期限が経過したか否かを判定する。
【００３４】
（キ）ＲＡＭ１６記憶された外部情報を消去することにより外部情報を無効化する。
（ク）ＧＰＳ車載器６０から取得した車両の現在位置から経路案内処理を行い、表示装置５０に表示する。
【００３５】
アンテナ２０は、道路交通情報センタなどから送信される情報を受信するためのものであり、ロッドアンテナとして図示しない車両のボディ部分に取り付けられたり、ループアンテナとして車両の後部ウィンドに埋め込まれた状態で取り付けられる。
【００３６】
受信装置３０は、アンテナ２０で受信した外部情報を復調し、ディジタルデータとして制御装置１０へ出力する。
基準時刻発生装置４０は、現在時刻を表す基準時刻を発生させるためのものであり、図示しない車両のバッテリなどを電源として作動し、現在時刻をディジタルデータとして制御装置１０へ出力する、いわゆる時計である。
【００３７】
表示装置５０は、アンテナ２０及び受信装置３０で受信した外部情報を表示したり、地図を表示するとともに、ＧＰＳ車載器６０及び制御装置１０から出力される経路案内結果をその地図上に表示するための装置である。具体的には、ＬＣＤやＣＲＴを備えた表示装置であり、車両のフロントパネルに装着されている。
【００３８】
ＧＰＳ車載器６０は、天空を航行する３個又は４個のＧＰＳ衛星からの電波を利用して緯度、経度、高度（高度を得る場合は、４個のＧＰＳ衛星からの電波を利用する。）など地球上の車両の現在位置を割り出し、制御装置１０に出力する。
【００３９】
（制御装置１０における処理）
次に、図２及び図３に基づいて、制御装置１０における処理の内容について説明する。図２は、有効期限時刻処理の処理の流れを示すフローチャートであり、図３は、外部情報無効化処理の処理の流れを示すフローチャートである。
【００４０】
（有効期限時刻処理）
有効期限時刻処理は、カーナビゲーション装置１の電源オンとともに処理が開始され、まず、Ｓ１００において、受信装置３０から外部情報が取得され、ＲＡＭ１６に記憶される。続くＳ１０５では、Ｓ１００において取得され、ＲＡＭ１６に記憶された外部情報から有効時間情報が取得される。
【００４１】
Ｓ１１０では、Ｓ１０５において取得された有効時間情報に基準時刻が含まれているか否かが判定される。そして、基準時刻が含まれている場合（Ｓ１１０：Ｙｅｓ）、処理がＳ１２０へ移行され、基準時刻が含まれていない場合（Ｓ１１０：Ｎｏ）には、処理がＳ１１５へ移行される。
【００４２】
Ｓ１２０では、Ｓ１０５において取得された有効期限情報に期限情報が含まれているか否かが判定される。そして、期限情報が含まれていた場合（Ｓ１２０：Ｙｅｓ）、処理がＳ１２５へ以降され、期限情報が含まれていなかった場合（Ｓ１２０：Ｎｏ）には、処理がＳ１３０へ移行される。
【００４３】
Ｓ１２５では、期限情報が相対情報か否かが判定され、期限情報が相対情報である場合（Ｓ１２５：Ｙｅｓ）、処理がＳ１３５へ移行され、期限情報が相対情報でない場合（Ｓ１２５：Ｎｏ）には、処理がＳ１４０へ移行される。
【００４４】
Ｓ１３０では、期限情報の有効期限時間を予め定めておいた規定値としてセットし、セットしたものを外部情報の有効期限に関するアイコンとして表示装置５０に表示する。つまり、Ｓ１３０の場合には、期限情報がなく、イベントの種類の情報（例えば、道路のある地点が事故による通行止めとなっているという情報）のみが得られる。したがって、その場合には予め定めておいた規定値（例えば３０分）という情報を基準時刻に付加して期限情報として表示装置５０に表示するのである。
【００４５】
具体的には、Ｓ１０５において取得された基準時刻又はＳ１１５において設定された基準時刻が１２：００である場合、規定値の３０分を付加し、Ｓ１００において取得された外部情報の有効期限を１２：３０とするのである。
【００４６】
なお、この規定値は、固定値でもよいし、Ｓ１００において取得される外部情報の種類に応じて変化させてもよい。外部情報の種類に応じて規定値を変化させる場合には、外部情報に含まれる外部情報の種類を表すイベントコードを取得する。そして、イベントコードに対する規定値のテーブルを予めＲＯＭ１４に記憶させておき、イベントコードに応じた規定値とする。
【００４７】
Ｓ１３５では、基準時刻に有効期限時刻を付加したものを有効期限としてセットし、その有効期限を外部情報の有効期限に関するアイコンとして表示装置５０に表示する。
例えば、外部情報の有効期限情報として相対情報である「５分間有効」という期限情報が、「１２：００」に取得された場合には、「１２：０５」をその外部情報の有効期限として、表示装置５０に表示するのである。
【００４８】
Ｓ１４０では、期限情報が絶対時間を示すものであるため、その期限情報をそのまま有効期限としてセットし、その有効期限を外部情報の有効期限に関するアイコンとして表示装置５０に表示する。
【００４９】
Ｓ１３０〜Ｓ１４０においてセットされた期限時刻情報を表示装置５０に表示した後、処理がＳ１００へと戻され、有効期限時刻処理が繰り返される。
（外部情報無効化処理）
図３は、外部情報無効化処理の流れを示すフローチャートである。外部情報無効化処理は、カーナビゲーション装置１の電源オンとともに処理が開始され、有効期限時刻処理と並列に実行される。
【００５０】
外部情報無効化処理は、図３に示すように、Ｓ２００において基準時刻があるか否かが判定される。つまり、有効期限時刻処理のＳ１００及びＳ１０５において取得され、ＲＡＭ１６に記憶された有効時間情報から基準時刻があるか否かが判定される。
【００５１】
そして、基準時刻がないと判定された場合（Ｓ２００：Ｎｏ）、処理がＳ２１０へ移行され、基準時刻発生装置で発生した時刻が基準時刻として設定される。基準時刻があると判定された場合（Ｓ２００：Ｙｅｓ）には、処理がＳ２１０へ移行される。
【００５２】
Ｓ２１０では、Ｓ１０５（図２参照）において取得された基準時刻又はＳ２０５で設定された基準時刻から現在時刻が算出される。
Ｓ２１５では、２１０において算出された現在時刻が有効期限時刻処理のＳ１３０〜Ｓ１４０（図２参照）で設定された有効期限時刻を超えているか否かが判定される。
【００５３】
例えば、算出した現在時刻が１２：４５分であり、外部情報の有効期限時刻が１２：３０分である場合には有効期限時刻を超えていると判定される。
そして、現在時刻が有効期限時刻を超えている場合（Ｓ２１５：Ｙｅｓ）、続くＳ２２０において、ＲＡＭ１６に記憶された外部情報が消去され、処理がＳ２００へ戻されて外部情報無効化処理が繰り返される。
【００５４】
一方、現在時刻が有効期限時刻を超えている場合（Ｓ２１５：Ｎｏ）には、処理がＳ２００へ戻されて外部情報無効化処理が繰り返される。
（カーナビゲーション装置１の特徴）
以上のようなカーナビゲーション装置１は、アンテナ２０及び受信装置３０で取得し、ＲＡＭ１６に記憶された外部情報からその情報の有効期限を示す有効期限情報が取得される。そして、有効期限情報に含まれる、外部情報の有効期限が経過したか否かが判定される。判定の結果、有効期限が経過したと判定された場合には、ＲＡＭ１６に記憶された外部情報が消去される。
【００５５】
つまり、情報の有効期限に基づいてＲＡＭ１６に記憶された外部情報が消去されるので、有効期限のある外部情報が有効期限が経過して使用されたり、あるいは、有効期限内であるにもかかわらず消去されて使用できなくなるということがなくなる。
【００５６】
また、外部情報に含まれる有効期限情報が相対的時間であり、現在時刻を表す基準時刻が含まれる場合には、基準時刻と相対時間とに基づいて、外部情報の有効期限が経過したか否かを判定される。したがって、外部から提供される現在時刻を示す基準時刻と相対時間に基づいて外部情報の有効期限が経過したか否かを正確に判定することができる。
【００５７】
例えば、日本国以外のように現在時刻が場所によって異なる場合（例えば、米国のように標準時間が複数あるような場合には、移動体が移動することによって現在時刻が変わってしまうことがある。）には、外部から提供される基準時刻に基づいて、現時点で外部情報の有効期限が経過したか否かが判定されるので、正確な判定ができる。
【００５８】
一方、外部情報に現在時刻を示す基準時刻が含まれていない場合には、現在時刻を表す基準時刻を発生させる基準時刻発生装置４０を備え、基準時刻発生装置４０が発生する基準時刻と外部情報に含まれる相対時間とに基づいて、外部情報の有効期限が経過したか否かを判定するとよい。
【００５９】
このようにすると、外部から基準時刻が提供されない状態であっても、外部情報に含まれる相対時間によって有効期限を判定することができる。
また、外部情報に含まれる有効期限情報が、有効期限として少なくとも期間情報を含み、有効期限情報に現在時刻を表す基準時刻が含まれる場合には、基準時刻が期間情報の期間内であるか否かに基づいて、外部情報の有効期限が経過したか否かが判定される。したがって、外部から提供される基準時刻に基づいて、現時点で外部情報の有効期限が経過したか否かが判定されるので、正確な判定ができる。
【００６０】
また、外部情報に現在時刻を示す基準時刻が含まれていない場合には、基準時刻発生装置４０が発生する基準時刻と外部情報に含まれる期間情報とに基づいて、外部情報の有効期限が経過したか否かを判定される。したがって、外部から基準時刻が提供されない状態であっても、外部情報に含まれる相対時間によって有効期限を判定することができる。
【００６１】
［その他の実施形態］
以上、本発明の実施形態について説明したが、本発明は、本実施形態に限定されるものではなく、種々の態様を採ることができる。
【００６２】
（１）上記実施形態では、外部情報をＲＡＭ１６に記憶させていたが、ハードディスク装置やメモリースティックなどの外部記憶装置を備え、その外部記憶装置に記憶させるようにしてもよい。
【００６３】
（２）上記実施形態では、外部情報をＲＡＭ１６から消去することにより外部情報を無効化していたが、外部情報をＲＡＭ１６などから消去せず、使用しないことにより外部情報を無効化してもよい。
【００６４】
ＲＡＭ１６などに記憶された外部情報を消去せずに使用しないための方法としては、取得した外部情報に有効期限内であるか否かを示すフラグを付加する方法やＲＡＭ１６などの記憶領域に不使用領域を設け、有効期限を経過した場合には、外部情報をその不使用領域に移動させる方法などがある。
【図面の簡単な説明】
【００６５】
【図１】カーナビゲーション装置１の概略の構成を示すブロック図である。
【図２】制御装置１０で実行される有効期限時刻処理の処理の流れを示すフローチャートである。
【図３】制御装置１０で実行される外部情報無効化処理の処理の流れを示すフローチャートである。
【符号の説明】
【００６６】
１…カーナビゲーション装置、１０…制御装置、１２…ＣＰＵ、１４…ＲＯＭ、１６…ＲＡＭ、１８…Ｉ／Ｏ、２０…アンテナ、３０…受信装置、４０…基準時刻発生装置、５０…表示装置、６０…ＧＰＳ車載器。
【図１】
2008305170.tif 000003
【図２】
2008305170.tif 000004
【図３】
2008305170.tif 000005